(57)【要約】【課題】証明写真を画像データで提出する際の、被撮影者の手間を軽減する。【解決手段】証明写真撮影装置１は、被撮影者を撮影し、撮影画像を生成する撮影装置と、撮影画像を表示する表示部と、表示部に表示された撮影画像に対して被撮影者が指示した指示位置を受け付ける操作部と、撮影画像と、前記撮影画像に対して前記指示位置を基準としてピクセル単位で配置される複数の目盛りと、を含む出力データを生成する生成部１２３と、出力データを記憶する記憶装置へ、出力データを出力する出力部１１０と、を備える。【選択図】図４
2015145993.tif 000002
【特許請求の範囲】
【請求項１】
被撮影者を撮影し、撮影画像を生成する撮影装置と、
前記撮影画像を表示する表示部と、
前記表示部に表示された撮影画像に対して前記被撮影者が指示した指示位置を受け付ける操作部と、
前記撮影画像と、前記撮影画像に対して前記指示位置を基準としてピクセル単位で配置される複数の目盛りと、を含む出力データを生成する生成部と、
前記出力データを記憶する記憶装置へ、前記出力データを出力する出力部と、
を備える証明写真撮影装置。
【請求項２】
前記出力データは、少なくとも前記撮影画像と前記目盛りとが合成された画像データである
請求項１に記載の証明写真撮影装置。
【請求項３】
前記画像データにおける前記目盛りは、前記撮影画像のうち前記被撮影者の画像領域以外の領域、または前記撮影画像の外側に位置する
請求項２に記載の証明写真撮影装置。
【請求項４】
前記出力データは、前記指示位置を示す指示マークを更に含む
請求項１に記載の証明写真撮影装置。
【請求項５】
前記出力データは、前記撮影画像と、前記目盛りと、前記指示マークとが合成された画像データである
請求項４に記載の証明写真撮影装置。
【請求項６】
前記画像データにおける前記指示マークは、前記撮影画像のうち前記被撮影者の画像領域以外の領域、または前記撮影画像の外側に位置する
請求項５に記載の証明写真撮影装置。
【請求項７】
前記出力データは、前記撮影画像のデータと前記目盛りのデータとを含む
請求項１に記載の証明写真撮影装置。
【請求項８】
前記操作部は、前記撮影画像における前記被撮影者の頭頂の位置、及び前記被撮影者の顎の位置の指定を受け付け、
前記頭頂の位置から前記顎の位置までのピクセル数を算出する算出部を更に備え、
前記生成部は、前記ピクセル数を更に含む出力データを生成する
請求項１から７のいずれか一項に記載の証明写真撮影装置。
【請求項９】
前記操作部は、前記撮影画像における前記被撮影者の頭頂の位置の指定を受け付け、
前記頭頂の位置から前記撮影画像の上端までのピクセル数を算出する算出部を更に備え、
前記生成部は、前記ピクセル数を更に含む出力データを生成する
請求項１から８のいずれか一項に記載の証明写真撮影装置。
【請求項１０】
前記操作部は、前記撮影画像における前記被撮影者の顎の位置の指定を受け付け、
前記顎の位置から前記撮影画像の下端までのピクセル数を算出する算出部を更に備え、
前記生成部は、前記ピクセル数を更に含む出力データを生成する
請求項１から９のいずれか一項に記載の証明写真撮影装置。
【請求項１１】
前記撮影画像をリサイズしてプリント用画像を生成する画像処理部と、
前記プリント用画像を印画物にプリントして出力するプリンタと、
を備える請求項１から１０のいずれか一項に記載の証明写真撮影装置。
【請求項１２】
撮影装置が、被撮影者を撮影し、撮影画像を生成するステップと、
表示部が、前記撮影画像を表示するステップと、
操作部が、前記撮影画像内において前記被撮影者が指示した指示位置を受け付けるステップと、
生成部が、前記撮影画像と、前記撮影画像中で前記指示位置を基準として配置される複数の目盛りと、を含む出力データを生成するステップと、
出力部が、前記出力データを記憶する記憶装置へ、前記出力データを出力するステップと、
を有する証明写真撮影方法。
【請求項１３】
証明写真撮影装置と、証明写真撮影装置からデータを受信可能な記憶装置とを備える証明写真撮影システムであって、
前記証明写真撮影装置は、
被撮影者を撮影し、撮影画像を生成する撮影装置と、
前記撮影画像を表示する表示部と、
前記撮影画像内において前記被撮影者が指示した指示位置を受け付ける操作部と、
前記撮影画像と、前記撮影画像中で前記指示位置を基準として配置される複数の目盛りと、を含む出力データを生成する生成部と、
前記記憶装置へ前記出力データを出力する出力部と、
を有し、
前記記憶装置は、
前記出力部が出力した出力データを記憶する記憶部を有する
証明写真撮影システム。
【発明の詳細な説明】
【技術分野】
【０００１】
本発明は、証明写真撮影装置、証明写真撮影方法及び証明写真撮影システムに関する。
【背景技術】
【０００２】
従来、免許証、パスポート、履歴書等に貼付するための証明写真等を撮影するためのボックス型の証明写真撮影装置が知られている。証明写真撮影装置は、人物を撮影し、用途に応じた様々なサイズの写真をプリントして出力する。
【０００３】
例えば、特許文献１には、被撮影者の顔の水平方向における中心がセンタリングされた証明写真画像データを作成するセンタリングプログラムを実行し、センタリングプログラムを実行した制御部により作成された証明写真画像データを方眼紙画像データに貼り付けて合成した合成画像データを生成し、当該生成された合成画像データに基づく合成画像を、所定の用紙にプリントする構成が提案されている。また、上記方眼紙画像データには、証明写真画像の水平方向における中心を示す位置にプリントされる横センタリングマークに関するデータを含むことが開示されている。
【０００４】
一方、近年、証明写真を画像データで提出することが行われている。ボックス型の証明写真撮影装置においても、撮影した証明写真の画像データを被撮影者の携帯電話に送信するサービスが提供されている。このサービスによれば、被撮影者は、この証明写真の電子データを証明写真として提出することができる。
【先行技術文献】
【特許文献】
【０００５】
【特許文献１】特開２００７−２４１７９３号公報
【発明の概要】
【発明が解決しようとする課題】
【０００６】
証明写真を画像データで提出する場合、縦と横をピクセル単位で指定される場合がある。指定されたピクセル数で画像データを提出するには、被撮影者が自らピクセルが把握できるソフトウェアで画像データを切り抜く必要があり、被撮影者の手間がかかっていた。
【０００７】
更に、被撮影者は自ら、画像データに含まれる人物の画像領域に含まれる鼻筋等から、人物の画像領域の中心位置を決めて、その中心から左右に指定の画素を切り抜く必要があり、被撮影者の手間がかかっていた。
【０００８】
上述した特許文献１の横センタリングマークは、画像データの水平方向の中心を示すが、画像データに含まれる人物の画像領域の水平方向の中心が必ずしも画像データの水平方向の中心に一致しない。このため、特許文献１の横センタリングマークを用いたとしても、人物の画像領域の水平方向の中心が画像データの水平方向の中心に一致しない場合、被撮影者は自ら、画像データに含まれる人物の画像領域に含まれる鼻筋等から、人物の画像領域の水平方向の中心位置を決める必要があり、依然として被撮影者の手間がかかる。
【０００９】
本発明は、このような課題を解決し得る証明写真撮影装置、証明写真撮影方法及び証明写真撮影システムを提供することを目的とする。
【課題を解決するための手段】
【００１０】
本発明の一態様による証明写真撮影装置は、被撮影者を撮影し、撮影画像を生成する撮影装置と、前記撮影画像を表示する表示部と、前記表示部に表示された撮影画像に対して前記被撮影者が指示した指示位置を受け付ける操作部と、前記撮影画像と、前記撮影画像に対して前記指示位置を基準としてピクセル単位で配置される複数の目盛りと、を含む出力データを生成する生成部と、前記出力データを記憶する記憶装置へ、前記出力データを出力する出力部と、を備える。
【００１１】
本発明の一態様による証明写真撮影装置は、前記出力データは、少なくとも前記撮影画像と前記目盛りとが合成された画像データである。
【００１２】
本発明の一態様による証明写真撮影装置は、前記画像データにおける前記目盛りは、前記撮影画像のうち前記被撮影者の画像領域以外の領域、または前記撮影画像の外側に位置する。
【００１３】
本発明の一態様による証明写真撮影装置は、前記出力データは、前記指示位置を示す指示マークを更に含む。
【００１４】
本発明の一態様による証明写真撮影装置は、前記出力データは、前記撮影画像と、前記目盛りと、前記指示マークとが合成された画像データである。
【００１５】
本発明の一態様による証明写真撮影装置は、前記画像データにおける前記指示マークは、前記撮影画像のうち前記被撮影者の画像領域以外の領域、または前記撮影画像の外側に位置する。
【００１６】
本発明の一態様による証明写真撮影装置は、前記出力データは、前記撮影画像のデータと前記目盛りのデータとを含む。
【００１７】
本発明の一態様による証明写真撮影装置は、前記操作部は、前記撮影画像における前記被撮影者の頭頂の位置、及び前記被撮影者の顎の位置の指定を受け付け、前記頭頂の位置から前記顎の位置までのピクセル数を算出する算出部を更に備え、前記生成部は、前記ピクセル数を更に含む出力データを生成する。
【００１８】
本発明の一態様による証明写真撮影装置は、前記操作部は、前記撮影画像における前記被撮影者の頭頂の位置の指定を受け付け、前記頭頂の位置から前記撮影画像の上端までのピクセル数を算出する算出部を更に備え、前記生成部は、前記ピクセル数を更に含む出力データを生成する。
【００１９】
本発明の一態様による証明写真撮影装置は、前記操作部は、前記撮影画像における前記被撮影者の顎の位置の指定を受け付け、前記顎の位置から前記撮影画像の下端までのピクセル数を算出する算出部を更に備え、前記生成部は、前記ピクセル数を更に含む出力データを生成する。
【００２０】
本発明の一態様による証明写真撮影装置は、前記撮影画像をリサイズしてプリント用画像を生成する画像処理部と、前記プリント用画像を印画物にプリントして出力するプリンタと、を備える。
【００２１】
本発明の一態様による証明写真撮影方法は、撮影装置が、被撮影者を撮影し、撮影画像を生成するステップと、表示部が、前記撮影画像を表示するステップと、操作部が、前記撮影画像内において前記被撮影者が指示した指示位置を受け付けるステップと、生成部が、前記撮影画像と、前記撮影画像中で前記指示位置を基準として配置される複数の目盛りと、を含む出力データを生成するステップと、出力部が、前記出力データを記憶する記憶装置へ、前記出力データを出力するステップと、を有する。
【００２２】
本発明の一態様による証明写真撮影システムは、証明写真撮影装置と、証明写真撮影装置からデータを受信可能な記憶装置とを備える証明写真撮影システムであって、前記証明写真撮影装置は、被撮影者を撮影し、撮影画像を生成する撮影装置と、前記撮影画像を表示する表示部と、前記撮影画像内において前記被撮影者が指示した指示位置を受け付ける操作部と、前記撮影画像と、前記撮影画像中で前記指示位置を基準として配置される複数の目盛りと、を含む出力データを生成する生成部と、前記記憶装置へ前記出力データを出力する出力部と、を有し、前記記憶装置は、前記出力部が出力した出力データを記憶する記憶部を有する。
【発明の効果】
【００２３】
本発明によれば、撮影画像に対して被撮影者が指示した指示位置を基準としてピクセル単位で複数の目盛りが配置された画像が得られる。この指示位置は、被撮影者の画像領域の水平方向の中心が指示された位置であるので、被撮影者は、この目盛りを参照することで、被撮影者の画像領域を中心にしつつ、指定されたピクセル数で撮影画像の画像データを容易に切り抜くことができる。これにより、証明写真を画像データで提出する際の、被撮影者の手間を軽減することができる。
【図面の簡単な説明】
【００２４】
【図１】図１は、本実施形態に係る証明写真撮影システムの概略構成図である。
【図２】図２は、人物位置情報の入力例を示す図である。
【図３】図３は、人物位置情報の入力例を示す図である。
【図４】本実施形態に係る演算制御装置の概略構成図である。
【図５】撮影画像と、目盛りと、指示マークとが合成された画像の一例である。
【図６】本実施形態に係る証明写真の撮影の第１の処理例を示すフローチャートである。
【図７】本実施形態に係る証明写真の撮影の第２の処理例を示すフローチャートである。
【発明を実施するための形態】
【００２５】
以下、本発明の実施の形態を図面に基づいて説明する。
図１は、本実施形態に係る証明写真撮影システムの概略構成図である。証明写真撮影システムは、証明写真撮影装置１と、証明写真撮影装置１と通信可能な携帯端末２とを備えている。携帯端末２は、無線ＬＡＮ（Local Area Network）によるデータ通信機能を有しており、例えば、スマートフォン、またはタブレット端末である。
【００２６】
本実施形態では、証明写真撮影装置１は、ユーザを撮影して生成した撮影画像をプリント出力したり、撮影画像データを携帯端末２へ送信したりする。また、携帯端末２は、証明写真撮影装置１から撮影画像データを受信して保存する。
【００２７】
図１に示すように、証明写真撮影装置１は、被撮影者Ｐの撮影を行う撮影空間を有するボックス型の撮影装置であり、被撮影者Ｐを撮影して撮影画像データを生成する撮影装置１２と、この撮影画像データに対して画像処理を施す演算制御装置１０と、プリント用画像を印画物にプリントして出力するプリンタ１６と、撮影装置１２が被撮影者Ｐを撮影する際に被撮影者Ｐに光を照射するストロボ１８と、を備える。この証明写真撮影装置１は、人物画像と背景画像を合成した合成画像を印画物にプリントして出力するものである。そのため、証明写真撮影装置１における被撮影者Ｐの背中側の壁紙は、後述するクロマキー合成に適した色、例えば青色や黄緑色になっている。
【００２８】
撮影装置１２は、例えばデジタルカメラであり、レンズ、シャッタ、ＣＭＯＳセンサ、Ａ／Ｄ変換器等を有する。撮影装置１２が被撮影者Ｐを撮影する場合、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。そして、撮影装置１２は、この撮影画像データを演算制御装置１０へ出力する。
【００２９】
また、証明写真撮影装置１は、被撮影者Ｐから各種指示を受け付けると共に、プレビュー画像や各種情報を表示するタッチパネル（操作部及び表示部）１４を備える。
【００３０】
タッチパネル１４は、操作ボタンを表示し、操作ボタンが押されると、その操作ボタンに対応した操作指示を受け付ける。例えば、タッチパネル１４は、ユーザ（被撮影者Ｐ）から、証明写真の用途の指示を受け付ける。証明写真の用途は、プリンタ１６が印画物にプリントする画像サイズ（写真サイズ）に対応しており、例えば、運転免許証、パスポート、履歴書等である。また、タッチパネル１４は、少なくとも１つの背景画像候補を表示すると共に、ユーザから背景画像の選択指示を受け付けることができる。
【００３１】
また、タッチパネル１４は、撮影装置１２により撮影された画像を表示し、この表示画面において被撮影者Ｐの頭頂、顎、または顔の水平方向の中心などの位置の指示を受け付けることができる。言い換えればタッチパネル１４は、タッチパネル１４に表示された撮影画像に対して被撮影者Ｐが指示した指示位置を受け付ける。
【００３２】
例えば、図２に示すように、タッチパネル１４の画面中に、頭頂位置を指示するための横線Ｌ１及び顎の位置を指示するための横線Ｌ２が表示される。ユーザは、調整キーＫ１、Ｋ２を押して（操作して）横線Ｌ１、Ｌ２の高さを調整し、決定キーＫ４を押して（操作して）頭頂位置及び顎の位置を決定する。また、図３に示すように、タッチパネル１４の画面中に、顔の水平方向の中心位置を指示するための縦線Ｌ３が表示される。ユーザは、調整キーＫ３を押して（操作して）縦線Ｌ３の左右位置を調整し、決定キーＫ４を押して（操作して）顔の水平方向の中心位置を決定する。このようにして、頭頂、顎、顔の水平方向の中心などの位置を示す人物位置情報がタッチパネル１４を介して入力される。
【００３３】
プリンタ１６は、演算制御装置１０から受け取ったプリント用画像データを用紙に印画して出力する。これにより、被撮影者Ｐの撮影画像が印刷される。プリント用画像データについては後述する。プリンタ１６のプリント方式は特に限定されず、インクジェット方式、昇華型熱転写方式、溶融型熱転写方式等を用いることができる。
【００３４】
証明写真撮影装置１には、被撮影者Ｐが印画物の代金として支払う貨幣を受け入れたり、釣銭を払い出したりする課金部（図示せず）が更に設けられている。また、証明写真撮影装置１に、電子マネーでの支払いを受け付ける課金部が設けられていてもよい。
【００３５】
演算制御装置１０は、撮影装置１２、タッチパネル１４、プリンタ１６、ストロボ１８、及び課金部に接続されており、各部の制御やデータの受け渡し、画像処理を行う。
【００３６】
図４に、演算制御装置１０のハードウェア構成を示す。演算制御装置１０は、ＣＰＵ（中央演算処理部）１００、メインメモリ１０２、ディスク装置１０４、入出力部１０６、及び出力部１１０を有する。演算制御装置１０の各部はバス１０８を介して接続されている。
【００３７】
ディスク装置１０４は、ＣＰＵ１００により実行されるプログラム１０４Ａが記録されている。ディスク装置１０４は、例えばハードディスクドライブである。なお、プログラム１０４Ａは、ディスク装置１０４でなく、ＲＯＭや磁気テープ（共に図示せず）に格納されていてもよい。
【００３８】
メインメモリ１０２は、一時データを格納するメモリであり、例えば、ＲＡＭ（Ｒａｎｄｏｍ  Ａｃｃｅｓｓ  Ｍｅｍｏｒｙ）である。
【００３９】
出力部１１０は、出力データを記憶する携帯端末２へ、出力データを出力する。具体的には、出力部１１０は、無線通信機能を有し、無線通信により携帯端末２へ、出力データを送信する。
【００４０】
入出力部１０６は、撮影装置１２、タッチパネル１４、プリンタ１６、ストロボ１８、及び課金部に接続されており、各部を制御する制御信号の出力やデータの入出力を行う。
【００４１】
ＣＰＵ１００は、ディスク装置１０４内のプログラム１０４Ａをメインメモリ１０２にロードして、プログラム１０４Ａを実行する。ＣＰＵ１００は、プログラム１０４Ａを実行することで、画像処理部１２１、算出部１２２及び生成部１２３として機能する。
【００４２】
画像処理部１２１は、撮影画像をリサイズしてプリント用画像データを生成する。このプリント用画像データは、入出力部１０６を介してプリンタ１６へ出力される。これに応じて、プリンタ１６は、プリント用画像を印画物にプリントして出力することができる。
【００４３】
算出部１２２は、頭頂の位置から顎の位置までのピクセル数を算出する。この処理は、タッチパネル１４が、撮影画像における被撮影者の頭頂の位置、及び被撮影者の顎の位置の指定を受け付けた後に、実行される。算出部１２２は、算出したピクセル数を生成部１２３に渡す。
【００４４】
生成部１２３は、撮影画像と、この撮影画像に対して指示位置を基準としてピクセル単位で配置される複数の目盛りと、を含む出力データを生成する。本実施形態では、一例として、指示位置は、撮影画像に含まれる被撮影者Ｐの顔の水平方向の中心位置に対応する。この出力データは、一例として、少なくとも撮影画像と目盛りとが合成された画像データである。これにより、個々の出力データを、一つの画像データとして管理することができるので、出力データの管理が容易となる。更に、例えば、一般の画像読み取りソフトで出力データを閲覧できるので、出力データの取り扱いが容易となる。本実施形態では、出力データは指示位置を示す指示マークを更に含み、一例として、撮影画像と、目盛りと、指示マークとが合成された画像データである。
【００４５】
目盛りは、撮影画像の水平方向に所定のピクセル間隔で配置される。画像データにおける目盛りは、撮影画像のうち被撮影者の画像領域以外の領域、または撮影画像の外側に位置する。また出力データは、図５に示すような指示位置を示す指示マークＭ１を更に含む。これにより、被撮影者は、この指示マークＭ１を用いることで、画像データから顔の水平方向の中心位置を自ら見つけなくてもよくなるので、画像データのトリミングが容易になる。画像データにおける指示マークＭ１は、撮影画像の被撮影者Ｐの画像領域以外の領域、または図５に示すように撮影画像の外側に位置する。
【００４６】
図５は、撮影画像と、目盛りと、指示マークとが合成された合成画像の一例である。図５に示す指示マークＭ１は、図３において、被撮影者が指示した、顔の水平方向の中心位置に応じて、位置決めされる。図５に示すように、複数の目盛りは、指示マークＭ１を基準に、撮影画像の水平方向に均等に、所定のピクセル間隔で配置されている。具体的には、指示マークからｘ軸負方向に１０個の目盛りが配置され、その一方で、指示マークからｘ軸正方向に１０個の目盛りが配置されている。これにより、画像データの左右のトリミング位置の決定が容易となる。
【００４７】
また出力データは、頭頂の位置から顎の位置までのピクセル数を更に含む。具体的には、図５に示すように、頭頂の位置から顎の位置までのピクセル数が、撮影画像の外側に位置するように合成される。このように、顔の高さのピクセル数が画像データに含まれているため、証明写真を提出サイズに拡大または縮小する際の倍率を容易に決めることができる。
【００４８】
なお、頭頂の位置から顎の位置までのピクセル数は、撮影画像の外側に配置されたが、撮影画像の被撮影者Ｐの画像領域以外の領域に配置されていてもよい。
【００４９】
なお、目盛りは、更に、撮影画像の垂直方向に所定のピクセル間隔で配置されていてもよい。
【００５０】
次に、証明写真撮影装置１が、ユーザを撮影して生成した出力データをユーザの携帯端末２へ送信する方法を、図６に示すフローチャートを用いて説明する。
【００５１】
図６は、本実施形態に係る証明写真の撮影の第１の処理例を示すフローチャートである。このフローチャートでは、携帯端末２を有する被撮影者Ｐが入室したことを前提とする。
【００５２】
（ステップＳ１０１）まず、出力部１１０は、携帯端末２との接続を確認する。
【００５３】
（ステップＳ１０２）次に、課金部は、被撮影者Ｐからの入金を受け付ける。
【００５４】
（ステップＳ１０３）次に、ＣＰＵ１０による制御により、ストロボ１８を発光する毎に撮影装置１２が撮影する処理を複数回繰り返す。
【００５５】
（ステップＳ１０４）次に、ＣＰＵ１００は、タッチパネル１４に、撮影により生成された複数の撮影画像を表示させる。被撮影者Ｐは、複数の撮影画像を確認して、これら複数の撮影画像から一つの撮影画像を選択する。タッチパネル１４は、この選択を受け付ける。
【００５６】
（ステップＳ１０５）次に、タッチパネル１４を介して撮影をやり直す旨の入力がある場合、証明写真撮影装置１の処理がステップＳ１０３に戻る。このように、被撮影者Ｐが撮影画像を気に入らない場合、証明写真撮影装置１は、ステップＳ１０３とステップＳ１０４を繰り返す。
【００５７】
（ステップＳ１０６）ステップＳ１０５で撮影をやり直す旨の入力がない場合、タッチパネル１４は、顔の水平方向の中心位置の入力を受け付ける。
【００５８】
（ステップＳ１０７）次に、タッチパネル１４は、頭頂の位置と顎の位置の入力を受け付ける。これにより、算出部１２２は、頭頂の位置から顎の位置までのピクセル数を算出する。
【００５９】
（ステップＳ１０８）次に、生成部１２３は、撮影画像と、目盛りと、図５に示すような指示マークＭ１、頭頂の位置から顎の位置までのピクセル数とが合成された出力データを生成する。出力部１１０は、生成部１２３が生成した出力データを携帯端末２へ送信する。
【００６０】
図７は、本実施形態に係る証明写真の撮影の第２の処理例を示すフローチャートである。このフローチャートでは、携帯端末２を有する被撮影者Ｐが入室したことを前提とする。
【００６１】
（ステップＳ２０１）まず、出力部１１０は、携帯端末２との接続を確認する。
【００６２】
（ステップＳ２０２）次に、課金部は、被撮影者Ｐからの入金を受け付ける。
【００６３】
（ステップＳ２０３）次に、ＣＰＵ１００は、タッチパネル１４に予め設定された枠（例えば、長軸が垂直方向となる楕円形の枠）を表示する。被撮影者Ｐは、この表示されている枠に、被撮影者Ｐの顔を合わせる。なお、撮影装置１２がズームすることにより、表示されている枠に、被撮影者Ｐの顔を合わせてもよい。このズームは、光学ズームでも画像処理による画像の拡大でもよい。
【００６４】
（ステップＳ２０４）次に、ＣＰＵ１０による制御により、ストロボ１８を発光する毎に撮影装置１２が撮影する処理を複数回繰り返す。
【００６５】
（ステップＳ２０５）次に、ＣＰＵ１００は、タッチパネル１４に、撮影により生成された複数の撮影画像を表示させる。被撮影者Ｐは、複数の撮影画像を確認して、これら複数の撮影画像から一つの撮影画像を選択する。タッチパネル１４は、この選択を受け付ける。
【００６６】
（ステップＳ２０６）次に、生成部１２３は、予め設定された枠を基準に定められた、枠の水平方向の中心位置を示すセンターマーク、及びこのセンターマークを基準として水平方向に所定のピクセル間隔で配置される目盛りを撮影画像と合成する。これにより、生成部１２３は、出力データを生成する。出力部１１０は、生成部１２３が生成した出力データを携帯端末２へ送信する。
【００６７】
以上、本実施形態に係る証明写真撮影装置１は、被撮影者Ｐを撮影し、撮影画像を生成する撮影装置１２と、撮影画像を表示するタッチパネル１４であって、タッチパネル１４に表示された撮影画像に対して被撮影者Ｐが指示した指示位置を受け付けるタッチパネル１４と、撮影画像と、この撮影画像に対して指示位置を基準としてピクセル単位で配置される複数の目盛りと、を含む出力データを生成する生成部１２３と、出力データを記憶する携帯端末２へ、出力データを出力する出力部１１０と、を備える。
【００６８】
これにより、撮影画像に対して被撮影者が指示した指示位置を基準としてピクセル単位で複数の目盛りが配置された画像が得られる。この指示位置は、被撮影者の画像領域の水平方向の中心が指示された位置であるので、被撮影者は、この目盛りを参照することで、被撮影者の画像領域を中心にしつつ、指定されたピクセル数で撮影画像の画像データを容易に切り抜くことができる。このため、証明写真を画像データで提出する際の、被撮影者の手間を軽減することができる。また、ピクセル数を把握できないアプリケーションを使用しても、提出サイズに合わせたピクセルサイズで画像データを切り抜くことができるという利点も有する。
【００６９】
なお、本実施形態では、出力データに頭頂の位置から顎の位置までのピクセル数を含ませたが、これに限ったものではない。算出部１２２は、撮影画像における被撮影者Ｐの頭頂の位置から撮影画像の上端までのピクセル数を算出し、生成部１２３は、このピクセル数を更に含む出力データを生成してもよい。あるいは、算出部１２２は、顎の位置から撮影画像の下端までのピクセル数を算出し、生成部１２３は、ピクセル数を更に含む出力データを生成してもよい。
【００７０】
また、本実施形態では、出力データを撮影画像と目盛りとが合成された画像データであるとしたが、これに限ったものではない。出力データは、撮影画像のデータと目盛りのデータとを含む。例えば、撮影画像と目盛りとが合成された画像データの拡大または縮小をする場合、拡大または縮小後は目盛りが正しいピクセルの値にならない問題がある。それに対して、画像データと目盛りデータとが別個のデータであれば、拡大率または縮小率に応じて、目盛りの位置を変更することで、拡大または縮小後も目盛りが正しいピクセルの値になり、上記の問題を回避できる。ここで目盛りのデータは、複数の目盛りが配置された画像データ、または複数の目盛りの位置を示す位置データである。
【００７１】
本実施形態では、画像データを無線通信により携帯端末へ送信したが、有線で携帯端末に送信してもよい。また、出力データが出力される先の装置は、携帯端末だけに限ったものではない。証明写真撮影装置は、データ出力用インタフェース（例えば、ＵＳＢコネクタ）を更に備え、このデータ出力用インタフェースを介して、画像データをデータ保存装置へ出力してもよい。ここで、このデータ保存装置は、データ入力用インタフェースと記憶部を備える装置であり、例えば、ＵＳＢフラッシュメモリである。このように、出力データが出力される先の装置は、この出力データを記憶する記憶装置であれば、その態様は特に限定されない。
【００７２】
なお、応用例として、出力データは、撮像画像を含む第１のレイヤーと、指定位置と、目盛りと、頭頂の位置から顎の位置までのピクセル数とを含む第２のレイヤーとを有する画像データであってもよい。その場合、端末装置２が、画像データを拡大または縮小した場合、指定位置は不変で、拡大または縮小に合わせて目盛りの位置を移動させ、拡大または縮小に合わせて上記ピクセル数の値を変化させてもよい。
【００７３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７４】
１  証明写真撮影装置
２  携帯端末
１０  演算制御装置
１２  撮影装置
１４  タッチパネル
１６  プリンタ
１８  ストロボ
１００  ＣＰＵ
１０２  メインメモリ
１０４  ディスク装置
１０６  入出力部
１１０  出力部
１２１  画像処理部
１２２  算出部
１２３  生成部
【図１】
2015145993.tif 000003
【図２】
2015145993.tif 000004
【図３】
2015145993.tif 000005
【図４】
2015145993.tif 000006
【図５】
2015145993.tif 000007
【図６】
2015145993.tif 000008
【図７】
2015145993.tif 000009